(57)【要約】【課題】  カメラ機能を具えたマウス及びその使用方法の提供。【解決手段】  該マウスはコンピュータに接続され、マウスモードとカメラモードを具え、マウス本体、マウス本体の外表面に設けられたボタンセット、マウス本体内部に設けられたマウス移動検出システム、撮像システム、モード変換回路、データ伝送インタフェース回路、及びマウス本体周縁に設けられたモード変換装置を包含する。モード変換回路はマウス移動検出システム、撮像システム、データ伝送インタフェース回路及びモード変換装置に接続される。外部コンピュータが起動する時、本発明はモード変換装置の操作によりモード変換回路を制御し、選択的に直接カメラモードに進入でき、これによりカメラモード使用の制限及び遅延を防止し、画像情報の適時伝送に便利である。【選択図】        図２
2006338360.tif 000002
【特許請求の範囲】
【請求項１】
外部コンピュータに接続されたカメラ機能を具えたマウスであって、
マウス本体と、
マウス本体の外表面に取り付けられるボタンセットと、
マウスモードを提供し、マウス本体内部に設けられてモード変換回路、カーソル検出システム及びマウス移動マイクロプロセッサを包含し、そのうち、カーソル検出システムがマウス移動信号を検出し、マウス移動マイクロプロセッサが該マウス移動信号を処理してマウス移動データとなすマウス移動検出システムと、
カメラモードを提供し、マウス本体内部に設けられ、画像検出システム、アナログ／デジタル変換器、及び画像マイクロプロセッサを包含し、そのうち、該画像検出システムが外部景物の画像信号を検出し、並びに該画像信号を変換して電気信号となし、アナログ／デジタル変換器は該電気信号を変換してデジタル信号となし、画像マイクロプロセッサは該デジタル信号を処理して画像データとなす撮像システムと、
マウス本体内部に設けられ、該データ伝送インタフェース回路は上述のマウス移動検出システムのマウス移動マイクロプロセッサ及び撮像システムの画像マイクロプロセッサに接続され、並びにマウス移動データ或いは画像データを外部コンピュータに伝送するデータ伝送インタフェース回路と、
マウス本体周縁に設けられたモード変換装置と、
マウス本体内に設けられ、該モード変換回路は上述のマウス移動検出システムのマウス移動マイクロプロセッサ、撮像システムの画像マイクロプロセッサ、データ伝送インタフェース回路及びモード変換装置に接続されて、外部コンピュータが起動する時、モード変換装置の操作によりモード変換回路を制御して、先ずマウスモードに進入するかカメラモードに進入するかを選択するモード変換回路と、
を包含したことを特徴とする、カメラ機能を具えたマウス。
【請求項２】
請求項１記載のカメラ機能を具えたマウスにおいて、カーソル検出システムが、
マウス本体内に設けられた光学レンズと、
マウス移動マイクロプロセッサに接続された照明装置と、
光学レンズ及びマウス移動マイクロプロセッサに接続された光学センサと、
を包含し、そのうち、該照明装置が照明光源を外部参考物に提供し、光学レンズが外部参考物の反射光線を受け取り、該反射光線を光学センサに提供し、光学センサが反射光線を電気信号に変換し、並びに該電気信号をマウス移動マイクロプロセッサに伝送し、マウス移動マイクロプロセッサがこの電気信号を処理してマウス移動データとなすことを特徴とする、カメラ機能を具えたマウス。
【請求項３】
請求項１記載のカメラ機能を具えたマウスにおいて、画像検出システムが、
マウス本体内に設けられた光学レンズと、
該光学レンズとアナログ／デジタル変換器に接続された感光装置と、
を具え、そのうち、光学レンズが外部景物の反射光を感光装置に伝送し、該感光装置が反射光を電気信号に変換し、並びに該電気信号を該アナログ／デジタル変換器に伝送することを特徴とする、カメラ機能を具えたマウス。
【請求項４】
請求項３記載のカメラ機能を具えたマウスにおいて、感光装置がＣＭＯＳセンサとされたことを特徴とする、カメラ機能を具えたマウス。
【請求項５】
請求項３記載のカメラ機能を具えたマウスにおいて、撮像システムがビデオカメラシステムとされ、該ビデオカメラシステムが外部景物の動態画像を撮像し、並びに該動態画像を外部コンピュータに伝送することを特徴とする、カメラ機能を具えたマウス。
【請求項６】
請求項１又は請求項５記載のカメラ機能を具えたマウスにおいて、撮像システムがシャッターを更に包含し、該シャッターが撮像システムの画像マイクロプロセッサに接続されたことを特徴とする、カメラ機能を具えたマウス。
【請求項７】
請求項１記載のカメラ機能を具えたマウスにおいて、データ伝送界面回路がＵＳＢデータ伝送インタフェース回路とされたことを特徴とする、カメラ機能を具えたマウス。
【請求項８】
請求項１記載のカメラ機能を具えたマウスにおいて、モード変換装置が起動スイッチとされたことを特徴とする、カメラ機能を具えたマウス。
【請求項９】
請求項１記載のカメラ機能を具えたマウスにおいて、ＤＲＡＭを更に具え、該ＤＲＡＭがマウス移動検出システムのマウス移動マイクロプロセッサと撮像システムの画像マイクロプロセッサに接続されたことを特徴とする、カメラ機能を具えたマウス。
【請求項１０】
カメラ機能を具えたマウスの使用方法において、
外部コンピュータが起動し、カメラ機能を具えたマウスが初期化プログラムに進入するステップ、
モード変換装置が操作されてモード変換回路が制御されて先ずマウスモード或いはカメラモードのいずれに進入するかが選択されるステップ、
上述のマウスモードが提供するマウス移動データ或いはカメラモードが提供する画像データが外部コンピュータに伝送されるステップ、
以上のステップを包含することを特徴とする、カメラ機能を具えたマウスの使用方法。
【請求項１１】
請求項１０記載のカメラ機能を具えたマウスの使用方法において、カメラモードがビデオカメラモードとされ、該ビデオカメラモードが外部景物の動態画像を提供し、並びに該動態画像を外部コンピュータに伝送することを特徴とする、カメラ機能を具えたマウスの使用方法。
【発明の詳細な説明】
【技術分野】
【０００１】
本発明は一種のマウスに係り、特に、カメラ機能を具えたマウス及びその使用方法に関する。
【背景技術】
【０００２】
インターネット技術の発展に伴い、コンピュータの人々の生活中での応用はますます広がり、現在、使用者はインターネットを通して他のコンピュータ使用者と各種の画像情報の伝送を行なうことができるようになっている。
【０００３】
但し、各種の画像情報を伝送する時、ユザーは画像電子設備をコンピュータに取り付けなければならず、その後でなければ電子設備より画像情報をロードできず、その操作は面倒で且つ不便であり、加えて、現在各種の電子設備が多機能一体化の方向に向けて発展しており、ゆえに画像電子設備とコンピュータマウスを一対に整合したカメラ機能を具えたマウスが生れた。このような新型のコンピュータマウスは画像伝送操作を簡易化でき、画像機能の使用に便利である。
【０００４】
特許文献１には上述のカメラ機能を具えたマウスが記載されている。該マウスは外部コンピュータと接続され、内部に撮像システムが設置されている。外部コンピュータが起動する時、このカメラ機能を具えたマウスは先ずマウスモードに進入し、もし外部の景物の画像をキャプチャする必要があれば、マウスをマウスパッド等の外部付属品から持ち上げるか展開すれば、マウスがカメラモードに自動変換され、その後、外部景物の画像のキャプチャを行なうことができる。
【０００５】
但し、外部コンピュータ起動時に直接カメラモードに進入する必要がある時であっても、上述の周知のカメラ機能を具えたマウスには対応するモード変換装置がないため、外部コンピュータの起動が完了してマウスモードに進入した後でなければ、カメラモードに切り換えることができない。ゆえに、このような周知のカメラ機能を具えたマウスの電気回路及び構造設計は外部コンピュータ起動時に即座にカメラモードに切り換えることができず、その操作方法は煩瑣であり、このため、使用者の、外部コンピュータ起動完成後に直接カメラモードに進入する要求を満足させられず、カメラモード使用の制限と遅延を形成し、画像情報の適時伝送に不便である。
【０００６】
【特許文献１】米国特許公告第６，５２５，３０６号明細書
【発明の開示】
【発明が解決しようとする課題】
【０００７】
本発明の目的は、一種のカメラ機能を具えたマウス及びその使用方法を提供することにあり、それは使用者の、外部コンピュータ起動時に先にマウスモードに進入する必要なく即刻にカメラモードに進入でき、これによりカメラモード使用の制限と遅延を防止し、画像情報の適時伝送に便利であるものとする。
【課題を解決するための手段】
【０００８】
請求項１の発明は、外部コンピュータに接続されたカメラ機能を具えたマウスであって、
マウス本体と、
マウス本体の外表面に取り付けられるボタンセットと、
マウスモードを提供し、マウス本体内部に設けられてモード変換回路、カーソル検出システム及びマウス移動マイクロプロセッサを包含し、そのうち、カーソル検出システムがマウス移動信号を検出し、マウス移動マイクロプロセッサが該マウス移動信号を処理してマウス移動データとなすマウス移動検出システムと、
カメラモードを提供し、マウス本体内部に設けられ、画像検出システム、アナログ／デジタル変換器、及び画像マイクロプロセッサを包含し、そのうち、該画像検出システムが外部景物の画像信号を検出し、並びに該画像信号を変換して電気信号となし、アナログ／デジタル変換器は該電気信号を変換してデジタル信号となし、画像マイクロプロセッサは該デジタル信号を処理して画像データとなす撮像システムと、
マウス本体内部に設けられ、該データ伝送インタフェース回路は上述のマウス移動検出システムのマウス移動マイクロプロセッサ及び撮像システムの画像マイクロプロセッサに接続され、並びにマウス移動データ或いは画像データを外部コンピュータに伝送するデータ伝送インタフェース回路と、
マウス本体周縁に設けられたモード変換装置と、
マウス本体内に設けられ、該モード変換回路は上述のマウス移動検出システムのマウス移動マイクロプロセッサ、撮像システムの画像マイクロプロセッサ、データ伝送インタフェース回路及びモード変換装置に接続されて、外部コンピュータが起動する時、モード変換装置の操作によりモード変換回路を制御して、先ずマウスモードに進入するかカメラモードに進入するかを選択するモード変換回路と、
を包含したことを特徴とする、カメラ機能を具えたマウスとしている。
請求項２の発明は、請求項１記載のカメラ機能を具えたマウスにおいて、カーソル検出システムが、
マウス本体内に設けられた光学レンズと、
マウス移動マイクロプロセッサに接続された照明装置と、
光学レンズ及びマウス移動マイクロプロセッサに接続された光学センサと、
を包含し、そのうち、該照明装置が照明光源を外部参考物に提供し、光学レンズが外部参考物の反射光線を受け取り、該反射光線を光学センサに提供し、光学センサが反射光線を電気信号に変換し、並びに該電気信号をマウス移動マイクロプロセッサに伝送し、マウス移動マイクロプロセッサがこの電気信号を処理してマウス移動データとなすことを特徴とする、カメラ機能を具えたマウスとしている。
請求項３の発明は、請求項１記載のカメラ機能を具えたマウスにおいて、画像検出システムが、
マウス本体内に設けられた光学レンズと、
該光学レンズとアナログ／デジタル変換器に接続された感光装置と、
を具え、そのうち、光学レンズが外部景物の反射光を感光装置に伝送し、該感光装置が反射光を電気信号に変換し、並びに該電気信号を該アナログ／デジタル変換器に伝送することを特徴とする、カメラ機能を具えたマウスとしている。
請求項４の発明は、請求項３記載のカメラ機能を具えたマウスにおいて、感光装置がＣＭＯＳセンサとされたことを特徴とする、カメラ機能を具えたマウスとしている。
請求項５の発明は、請求項３記載のカメラ機能を具えたマウスにおいて、撮像システムがビデオカメラシステムとされ、該ビデオカメラシステムが外部景物の動態画像を撮像し、並びに該動態画像を外部コンピュータに伝送することを特徴とする、カメラ機能を具えたマウスとしている。
請求項６の発明は、請求項１又は請求項５記載のカメラ機能を具えたマウスにおいて、撮像システムがシャッターを更に包含し、該シャッターが撮像システムの画像マイクロプロセッサに接続されたことを特徴とする、カメラ機能を具えたマウスとしている。
請求項７の発明は、請求項１記載のカメラ機能を具えたマウスにおいて、データ伝送界面回路がＵＳＢデータ伝送インタフェース回路とされたことを特徴とする、カメラ機能を具えたマウスとしている。
請求項８の発明は、請求項１記載のカメラ機能を具えたマウスにおいて、モード変換装置が起動スイッチとされたことを特徴とする、カメラ機能を具えたマウスとしている。
請求項９の発明は、請求項１記載のカメラ機能を具えたマウスにおいて、ＤＲＡＭを更に具え、該ＤＲＡＭがマウス移動検出システムのマウス移動マイクロプロセッサと撮像システムの画像マイクロプロセッサに接続されたことを特徴とする、カメラ機能を具えたマウスとしている。
請求項１０の発明は、カメラ機能を具えたマウスの使用方法において、
外部コンピュータが起動し、カメラ機能を具えたマウスが初期化プログラムに進入するステップ、
モード変換装置が操作されてモード変換回路が制御されて先ずマウスモード或いはカメラモードのいずれに進入するかが選択されるステップ、
上述のマウスモードが提供するマウス移動データ或いはカメラモードが提供する画像データが外部コンピュータに伝送されるステップ、
以上のステップを包含することを特徴とする、カメラ機能を具えたマウスの使用方法としている。
請求項１１の発明は、請求項１０記載のカメラ機能を具えたマウスの使用方法において、カメラモードがビデオカメラモードとされ、該ビデオカメラモードが外部景物の動態画像を提供し、並びに該動態画像を外部コンピュータに伝送することを特徴とする、カメラ機能を具えたマウスの使用方法としている。
【発明の効果】
【０００９】
上述したように、本発明の提供するカメラ機能を具えたマウス及びその使用方法は、外部コンピュータが起動した時、使用者がモード変換回路を制御して選択的に先ずカメラモードに進入させることができる。ゆえにカメラモード使用の制限及び遅延が防止され、画像情報が即座に伝送される。
【発明を実施するための最良の形態】
【００１０】
前述の目的を達成するため、本発明は一種のカメラ機能を具えたマウスを提供し、それは外部コンピュータに接続され、マウス本体、ボタンセット、マウス移動検出システム、撮像システム、データ伝送インタフェース回路、モード変換装置及びモード変換回路を包含する。ボタンセットはマウス本体の外表面に取り付けられる。マウス移動検出システムはマウスモードを提供し、マウス本体内部に設けられて、モード変換回路、カーソル検出システム及びマウス移動マイクロプロセッサを包含し、そのうち、カーソル検出システムはマウス移動信号を検出し、マウス移動マイクロプロセッサは該マウス移動信号を処理してマウス移動データとなす。撮像システムはカメラモードを提供し、マウス本体内部に設けられ、画像検出システム、アナログ／デジタル変換器、及び画像マイクロプロセッサを包含し、そのうち、画像検出システムは外部景物の画像信号を検出し、並びに該画像信号を変換して電気信号となし、アナログ／デジタル変換器は該電気信号を変換してデジタル信号となし、画像マイクロプロセッサは該デジタル信号を処理して画像データとなす。データ伝送インタフェース回路はマウス本体内部に設けられ、該データ伝送インタフェース回路は上述のマウス移動検出システムのマウス移動マイクロプロセッサ及び撮像システムの画像マイクロプロセッサに接続され、並びにマウス移動データ或いは画像データを外部コンピュータに伝送する。モード変換回路はマウス本体内に設けられ、該モード変換回路は上述のマウス移動検出システムのマウス移動マイクロプロセッサ、撮像システムの画像マイクロプロセッサ、データ伝送インタフェース回路及びマウス本体周縁に設けられたモード変換装置に接続されている。外部コンピュータが起動する時、モード変換装置の操作によりモード変換回路を制御して、先ずマウスモードに進入するかカメラモードに進入するかを選択できる。
【００１１】
前述の目的を達成するため、本発明は並びに上述のカメラ機能を具えたマウスの使用方法を提供し、それは、
外部コンピュータが起動し、カメラ機能を具えたマウスが初期化プログラムに進入するステップ、
モード変換装置が操作されてモード変換回路が制御されて先ずマウスモード或いはカメラモードのいずれに進入するかが選択されるステップ、
上述のマウスモードが提供するマウス移動データ或いはカメラモードが提供する画像データが外部コンピュータに伝送されるステップ、
以上のステップを包含する。
【実施例１】
【００１２】
図１及び図２を共に参照されたい。本発明のカメラ機能を具えたマウス１００は、マウス本体１０を具え、該マウス本体１０の上表面は円弧面とされて、使用者の握持に適合する。該上表面の前端にマウスのボタンセット３０が設けられ、それはクリック操作用の左ボタン、メニュー機能の右ボタン及び特殊用途の中間ボタンを包含する。
【００１３】
図４も参照されたい。該カメラ機能を具えたマウス１００は、更にマウス移動検出システム４０、撮像システム５０、ＵＳＢデータ伝送インタフェース回路７０、モード変換回路６０及びＤＲＡＭ８０を包含する。
【００１４】
該マウス移動検出システム４０はマウス本体１０内に設けられ、マウスモードを提供するのに用いられ、カーソル検出システムとマウス移動マイクロプロセッサ４５を包含する。カーソル検出システムは光学レンズ４１、光学センサ４２及び照明装置４３で構成される。そのうち、光学レンズ４１はマウス本体１０の底部に凹設され、これは図２に示されるようである。光学センサ４２及び照明装置４３はそれぞれマウス移動マイクロプロセッサ４５に接続される。ボタンセット３０はマウス移動マイクロプロセッサ４５に接続され、これによりボタン信号がマウス移動マイクロプロセッサ４５に伝送され、コンピュータカーソルポジショニング等の関係操作機能が達成される。
【００１５】
本発明のカメラ機能を具えたマウス１００が外部参考物上に置かれた時、照明装置４３が照明光源を該外部参考物に提供し、光学レンズ４１が外部参考物の反射光線を受け取り、該反射光線を光学センサ４２に提供する。光学センサ４２は反射光線を電気信号に変換し、並びに該電気信号をマウス移動マイクロプロセッサ４５に伝送し、マウス移動マイクロプロセッサ４５がこの電気信号を処理してマウス移動データとなす。
【００１６】
撮像システム５０はカメラモードを提供し、それはマウス本体１０内部に位置し、画像検出システム、アナログ／デジタル変換器５４及び画像マイクロプロセッサ５５を包含する。そのうち、画像検出システムは、光学レンズ５１、感光装置５２、及び照明システム５３を包含する。図２に示されるように、光学レンズ５１がマウス本体１０の底面中央部に凹設され、照明システム５３は光学レンズ５１の上下両側に凹設された一対の高輝度発光ダイオード装置５３１を包含する。図４に示されるように、照明システム５３は画像マイクロプロセッサ５５と接続されて、画像成像時に必要な十分な照明光源を提供し、成像質量を確保する。光学レンズ５１は感光装置５２に接続され、外部景物の反射光を感光装置５２に伝送する。感光装置５２はアナログ／デジタル変換器５４に接続され、受信した外部景物光信号を電気信号に変換し、並びに電気信号をアナログ／デジタル変換器５４に送る。アナログ／デジタル変換器５４は画像マイクロプロセッサ５５に接続されて、アナログ信号をデジタル信号に変換し、並びに該デジタル信号を画像マイクロプロセッサ５５に伝送する。画像マイクロプロセッサ５５は更に該デジタル信号を処理して画像データとなす。
【００１７】
本実施例中、撮像システム５０はネットワーク用ビデオカメラシステムを採用し、外部景物の動態画像を撮像し、並びに該動態画像を外部コンピュータ２００に伝送する。一般に、連続伝送される動態画像の明晰度に対する人々の要求は高くなく、３０万画素のＣＭＯＳセンサを感光装置５２となすことで連続動態画像伝送の要求を達成できる。このほか、図４に示されるように、撮像システム５０に更にシャッター５６が設けられて画像マイクロプロセッサ５５に接続され、動態画像伝送の前後に使用者が必要とする外部景物の静態画像をキャプチャするのに用いられる（後で詳しく説明する）。
【００１８】
ＵＳＢデータ伝送インタフェース回路７０はマウス本体１０の内部に設けられ、それぞれ上述のマウス移動検出システム４０のマウス移動マイクロプロセッサ４５、撮像システム５０の画像マイクロプロセッサ５５及びＵＳＢコネクタ７１に接続される。上述のＵＳＢコネクタ７１は更にＵＳＢデータ線で外部コンピュータ２００のＵＳＢポート２１０に接続され、これによりマウス移動マイクロプロセッサ４５及び画像マイクロプロセッサ５５が処理した後のマウス移動データ或いは画像データが外部コンピュータ２００に伝送される。
【００１９】
本発明の具体的設計時には、データ伝送界面回路は更にその他のマウス伝送インタフェース標準を採用可能であり、例えばＰＳ／２或いはＲＳ２３２伝送インタフェース標準を採用可能である。本実施例中に採用されるＵＳＢデータ伝送インタフェースがデータ伝送インタフェース標準とされる時、撮像システム５０の電源はＵＳＢデータ線中の電源信号線を介して外部コンピュータ２００より供給され、この構造により本発明のカメラ機能を具えたマウスの体積が縮小される。もしその他のデータ伝送インタフェース標準を採用するならば、本発明のカメラ機能を具えたマウス１００の撮像システム５０の電源供給は別に設計する必要があり、例えば撮像システム５０中に電源供給システムが単独設置される。
【００２０】
モード変換回路６０はマウス本体１０内部に設置され、マウス移動検出システム４０のマウス移動マイクロプロセッサ４５、撮像システム５０の画像マイクロプロセッサ５５、及びＵＳＢデータ伝送インタフェース回路７０にそれぞれ接続されている。
【００２１】
ＤＲＡＭ８０はマウス本体１０内部に設けられて、画像マイクロプロセッサ５５とマウス移動マイクロプロセッサ４５に接続されて、マウス移動データ及び画像データの大量保存要求を満足させ、データの伝送を緩衝する。
【００２２】
操作に便利とするため、本発明のカメラ機能を具えたマウス１００は更にモード変換装置６１を包含し、それはマウス本体１０周縁に設けられて、モード変換回路６０に接続される。本実施例では、該モード変換装置６１は起動スイッチ６２とされ、マウス本体１０の右側面前端に設けられ、これは図２に示されるとおりである。該起動スイッチ６２はモード変換回路６０を制御し、これによりマウス移動マイクロプロセッサ４５及び画像マイクロプロセッサ５５を制御してそれぞれにマウス機能モード及び画像機能モードを達成させる。
【００２３】
通常の状況下では、本発明のカメラ機能を具えたマウス１００はマウスモードで使用され、もしそのカメラモードを使用する時は、起動スイッチ６２を画像機能に切り換え、そのマウス機能をオフする。このような状況は図３に示されるように、使用に便利なように、本発明のカメラ機能を具えたマウス１００に接続された外部コンピュータ２００のディスプレイ３００にホルダが設けられ、該ホルダが収容空間と二つの折り曲げ状の支持足１１を具え、収容空間にマウス本体１０が収容され、二つの支持足１１がディスプレイ３００に掛けられて、これにより該ホルダが本発明のカメラ機能を具えたマウス１００をディスプレイ３００上に固定放置するのに用いられる。
【００２４】
図５は本発明のカメラ機能を具えたマウス１００の使用方法のフローチャートである。外部コンピュータ２００が起動する時、外部コンピュータ２００と接続された本発明のカメラ機能を具えたマウス１００は初期化プログラムインタフェースに進入する。この時、使用者はマウス本体１０の一側のモード変換装置６１を操作してモード選択１１０を行なう。もし第２モード（カメラモード）１３０に進入するなら、シャッター１３２が押されたかを判断する。シャッターが押されたならば、静態画像を撮像１４２し、並びに該静態画像を画像マイクロプロセッサ５５に伝送１４４し、画像処理プロセス１４０を実行する。シャッターが押されていなければ、ビデオカメラモード１３４に進入し、即ち本発明のカメラ機能を具えたマウス１００がビデオカメラとして使用され、連続動態画像を撮像し、同時に動態画像１３４を画像マイクロプロセッサ５５に伝送１３６し、画像マイクロプロセッサ５５が画像処理プロセス１４０を実行し、並びに動態ビデオを獲得する。最後に上述の二種類の状況下で、処理後の静態或いは動態画像はいずれもＵＳＢデータ伝送インタフェース回路７０を介して外部コンピュータ２００に伝送され、対応する画像が表示される。このほか、ビデオカメラモード１３４に進入した後であってもシャッター押圧でき、連続撮像の動態画像中より選択的に静態画像１４２をキャプチャでき、使用者の要求を満足させられる。
【００２５】
外部コンピュータ２００が起動し初期化される時、使用者はモード変換装置６１を操作して第１モード（マウスモード）１１２に進入でき、即ち外部コンピュータ２００にマウス関係プログラムがロードされ、本発明のカメラ機能を具えたマウス１００がユニバーサルマウス装置とされてマウスモード１１６とされる。この時、マウス１００はマウス移動信号をマウス移動プロセッサ４５に伝送１１８してマウス移動処理プロセス１２０を実行させる。最後に、外部コンピュータ２００が上述の第１モード（マウスモード）１１２のマウス移動データ或いは第２モード（カメラモード）１３０の画像データを受け取り１５０、それぞれカーソル制御及び画像の伝送を行なう。
【００２６】
上述したように、外部コンピュータ２００が起動する時、本発明のカメラ機能を具えたマウス１００のモード変換装置６１の操作によりモード変換回路６０を制御して、先ずカメラモードに進入することを選択できる。ゆえに本発明のカメラ機能を具えたマウス１００は外部コンピュータの起動完成後に直接カメラモードに進入する使用者の要求を満足させることができ、カメラモード使用の制限及び遅延を防止し、並びにイメージ情報の即刻伝送を行なえる。このほか、本発明のカメラ機能を具えたマウス１００は外部コンピュータ２００の起動後に、選定されたモードに進入した後、モード変換装置６１により二つのモードの間で相互に変換が可能であり、使用者の即時応用の要求を満足させることができ、便利である。
【図面の簡単な説明】
【００２７】
【図１】本発明のカメラ機能を具えたマウスの立体外観図である。
【図２】本発明のカメラ機能を具えたマウスの別の立体図である。
【図３】本発明のカメラ機能を具えたマウスをコンピュータに応用した使用状態図である。
【図４】本発明のカメラ機能を具えたマウスの回路システムブロック図である。
【図５】本発明のカメラ機能を具えたマウスの使用フローチャートである。
【符号の説明】
【００２８】
１００  カメラ機能を具えたマウス        １０  マウス本体
１１  支持足                            ３０  ボタンセット
４０  マウス移動検出システム            ４１、５１  光学レンズ
４２  光学センサ                        ４３  照明装置
４５  マウス移動マイクロプロセッサ      ５０  撮像システム
５２  感光装置                          ５３  照明システム
５３１  高輝度発光ダイオード装置        ５４  アナログ／デジタル変換器
５５  画像マイクロプロセッサ            ６０  モード変換回路
６１  モード変換装置                    ６２  起動スイッチ
７０  ＵＳＢデータ伝送インタフェース回路    ７１  ＵＳＢコネクタ
８０  ＤＲＡＭ                          ２００  外部コンピュータ
２１０  ＵＳＢポート                    ３００  ディスプレイ
【図１】
2006338360.tif 000003
【図２】
2006338360.tif 000004
【図３】
2006338360.tif 000005
【図４】
2006338360.tif 000006
【図５】
2006338360.tif 000007